(57)【要約】【課題】電線群をプロテクタに作業姓良く固定する。【解決手段】底壁２と、該底壁２の幅方向の両端縁から突出する側壁３、４とで電線通路５を形成しているプロテクタであって、前記底壁の長さ方向先端側に仕切壁を立設して電線通路を分割しており、これら分割された電線通路のそれぞれの先端開口に沿った位置に、底壁２と側壁３、４の少なくともいずれか一方に２個以上の締結バンド用の通し穴１０（１０ａ、１０ｂ）を設け、または、これら２個の通し穴に１本の締結バンド２５のバンド片を連続して通し、前記電線通路に挿通する電線群に巻き付けて締結固定する構成としている。【選択図】図１
2010051096.tif 000002
【特許請求の範囲】
【請求項１】
底壁と、該底壁の幅方向の両端縁から突出する側壁とで電線通路を形成しているプロテクタであって、
前記底壁の長さ方向先端側に仕切壁を立設して電線通路を分割しており、これら分割された電線通路のそれぞれの先端開口に沿った位置に、底壁と側壁の少なくともいずれか一方に２個以上の締結バンド用の通し穴を設け、または、これら２個の通し穴に１本の締結バンドのバンド片を連続して通し、前記電線通路に挿通する電線群に巻き付けて締結固定する構成としていることを特徴とするプロテクタ。
【請求項２】
前記通し穴を前記底壁と側壁の両方に設けている請求項１に記載のプロテクタ。
【請求項３】
前記通し穴は２個一組とし、該２個一組の通し穴を前記先端開口に沿った位置に間隔をあけて複数対設けている請求項１または請求項２に記載のプロテクタ。
【請求項４】
前記２個一組の通し穴は、一方の通し穴を細穴とし、他方の通し穴は広穴とし、
前記締結バンドのバンド部は前記細穴に通し、締結バンドの締結部を前記広穴に通し、前記締結部を電線通路内に位置させるようにしている請求項３に記載のプロテクタ。
【請求項５】
底壁と、該底壁の幅方向の両端縁から突出する側壁とで電線通路を形成しているプロテクタであって、
前記底壁と側壁との少なくともいずれか一方に、長さ方向の先端側に、締結バンド用の４個以上の通し穴を並列に設け、これらの通し穴の内２つの通し穴に１本の締結バンドのバンド片を連続して通し、前記電線通路に挿通する電線群に巻き付けて締結固定する構成としていることを特徴とするプロテクタ。
【請求項６】
前記４個以上並列する通し穴は、隣接する２個の通し穴を一組として、一方の通し穴を細穴とし、他方の通し穴は広穴としている請求項５に記載のプロテクタ。
【発明の詳細な説明】
【技術分野】
【０００１】
本発明はワイヤハーネス用プロテクタに関し、詳しくは、車両に配索されるワイヤハーネスを挿通保護するプロテクタにおいて、該ワイヤハーネスをプロテクタに作業性良く固定するものである。
【背景技術】
【０００２】
自動車に配索されるワイヤハーネスは、経路規制や外部干渉材から電線群を保護する目的で、樹脂成形品からなるプロテクタに挿通されている。
該プロテクタは、底壁と両側壁とで囲まれた電線群の通路を設けた略樋形状とされ、長さ方向の両端の底壁からテープ巻き舌片を突出し、該テープ巻き舌片と電線群とに粘着テープを巻き付けて電線群をプロテクタに固定している。
【０００３】
この種のプロテクタとして、特開昭６４−８１６１０号公報（特許文献１）が提供されている。該プロテクタ１００は図９に示すように、該プロテクタ１００の内部に平行に挿通する複数組の電線群１１０、１２０、１３０に予め取り付けられている車体係止用のクリップバンド１１１、１２１、１３１のクリップ１１１ａ、１２１ａ、１３１ａを通すために、プロテクタ１００の底壁１０１に３個のクリップ穴１０２、１０３、１０４を並列に設けている。
【０００４】
前記プロテクタでは、各電線群１１０〜１３０はプロテクタ１００で分割するために、予めクリップバンド１１１〜１３１で結束しているが、これらクリップバンド１１１〜１３１をプロテクタ１００のクリップ穴１０２〜１０４および車体のクリップ係止穴に正確に一致させる位置に予めクリップバンドを電線群に巻き付けておく必要があり、クリップバンド取り付け時の位置合わせに時間がかかる問題がある。
また、クリップバンド１１１〜１３１のクリップ１１１ａ〜１３１ａはプロテクタ１００に直接に固定されていない。クリップ穴１０２〜１０４にクリップ１１１ａ〜１３１ａの支軸を貫通させているだけであり、これらクリップ１１１ａ〜１３１ａを車体側の係止穴に挿入係止した後に、各電線群１１０〜１３０は車体に固定され、それに伴ってプロテクタ１００も車体に固定される。
このように、クリップ１１１ａ〜１３１ａが車体に係止されるまでは、プロテクタ１００の内部で電線群１１０〜１３０は直接に位置決め固定されていないため、ワイヤハーネスを組立工場から車両組立ラインへの搬送時にガタ付きが発生しやすい。
また、該プロテクタ１００の複数のクリップ穴と対向する位置の車体側にそれぞれクリップ係止穴を設ける必要があり、かつ、各電線群を結束したバンドのクリップ毎に車体に挿入係止する作業が必要となり、作業手数がかかる等の問題がある。
【０００５】
【特許文献１】特開昭６４−８１６１０号公報
【発明の開示】
【発明が解決しようとする課題】
【０００６】
本発明は前記問題に鑑みてなされたもので、プロテクタ内の任意の位置に、電線群をクリップバンドではなく、締結バンドで直接固定できるようにすることを課題としている。
【課題を解決するための手段】
【０００７】
前記課題を解決するため、本発明は、底壁と、該底壁の幅方向の両端縁から突出する側壁とで電線通路を形成しているプロテクタであって、
前記底壁の長さ方向先端側に仕切壁を立設して電線通路を分割しており、これら分割された電線通路のそれぞれの先端開口に沿った位置に、前記底壁と側壁の少なくともいずれか一方に２個以上の締結バンド用の通し穴を設け、これら２個の通し穴に１本の締結バンドのバンド片を連続して通し、前記電線通路に挿通する電線群に巻き付けて締結固定する構成としていることを特徴とするプロテクタを提供している。
【０００８】
前記プロテクタでは、仕切壁を底壁から立設して電線経路を分割し、異なる配線経路となる電線群を仕切壁で分けており、これらの分割した電線通路毎に締結バンドの通し穴を設けている。よって、異なる配線経路をとる複数組の電線群は仕切壁で分割された電線通路を挿通されるだけで分割されて位置決め保持され、かつ、電線群をプロテクタに通した後に締結バンドを通し穴に通して電線群に巻き付けて締結できるため、プロテクタ挿通領域の電線群に予めクリップバンドを取り付けておく必要はない。かつ、クリップバンドではなく締結バンドで電線群とプロテクタとを直接固定しているため、車両側のクリップ係止穴と関係なく、任意の位置で締結バンドで電線群をプロテクタと固定できる。
さらにまた、従来はプロテクタの開口端からテープ巻き舌片を突設し、該テープ巻き舌片と電線群との粘着テープを巻き付けて固定しているが、底壁および側壁の少なくとも一方に締結バンドのバンド片の通し穴を設けているだけであるため、プロテクタは大型化しない。かつ、複数組の電線群とそれぞれテープ巻きするために、テープ巻き舌片を並べて突出する場合に発生するテープ巻き作業の困難性も解消できる。
【０００９】
前記通し穴は前記底壁と側壁の両方に設けてもよい。
その場合、締結バンドのバンド片を、プロテクタの底壁外面の一方側の角部の外面にバンド片を巻くようにして、底壁と側壁の両方の通し穴に連続して通すと、電線群をプロテクタ内において角部に位置決め保持できる。
【００１０】
前記通し穴は２個一組とし、該２個一組の通し穴を前記先端開口に沿った位置に間隔をあけて複数対設けていることが好ましい。
その場合、底壁に水平方向に並列に設けている他の通し穴に締結バンドのバンド片を通して別の電線群を締結固定して水平方向に並列固定できる。さらに、側壁に垂直方向に並列している他の通し穴に締結バンドのバンド片を通して、垂直方向に別の電線群を並列固定できる。
【００１１】
前記２個一組の通し穴は、一方の通し穴を細穴とし、他方の通し穴は広穴とし、
前記締結バンドのバンド部は前記細穴に通し、締結バンドの締結部を前記広穴に通し、前記締結部を電線通路内に位置させるようにしている。
【００１２】
本発明のプロテクタは、電線群をプロテクタの電線通路に先通しした後に、締結バンドのバンド片を通し穴に通して、プロテクタ内部で締結バンドのバンド片を締結部に通して締結しているため、前記のように、締結部を通すことができる広穴と、バンド片を通す細穴とを２個１組として設けている。
このように、締結部をプロテクタ内部に位置させると、締結部が外部干渉材と干渉して損傷を受けることがなく、締結バンドによる固定の信頼性を高めることができる。
【００１３】
さらに、本発明は、底壁と、該底壁の幅方向の両端縁から突出する側壁とで電線通路を形成しているプロテクタであって、
前記底壁と側壁との少なくともいずれか一方に、長さ方向の先端側に、締結バンド用の４個以上の通し穴を並列に設け、これらの通し穴の内２つの通し穴に１本の締結バンドのバンド片を連続して通し、前記電線通路に挿通する電線群に巻き付けて締結固定する構成としていることを特徴とするプロテクタを提供している。
【００１４】
前記プロテクタでは底壁から仕切壁を立設していないプロテクタにも適用できるものとしている。該プロテクタでは、底壁と側壁との少なくとも一方に４個以上の締結バンドの通す穴を並列に設けていることにより、２個の通し穴を選択して締結バンドを通すことにより、プロテクタ内の任意の位置、例えば、右位置、左位置、中央位置と電線群を位置決め固定でき、仕切壁を設ける必要がない。
【００１５】
前記４個以上並列する通し穴は、前記のように、隣接する２個の通し穴を一組として、一方の通し穴を細穴とし、他方の通し穴は広穴としていることが好ましい。
【発明の効果】
【００１６】
前述したように、本発明のプロテクタによれば、複数組の電線群をプロテクタ内部で分割して挿通固定する必要がある場合に、該分割通路のプロテクタの長さ方向先端の開口端縁に沿った底壁と側壁の少なくともいずれか一方に２個以上の締結バンド用の通し穴を設け、これら２個の通し穴に１本の締結バンドのバンド片を連続して通して電線群に巻き付けて締結固定しているため、各組の電線群をそれぞれプロテクタ内に直接に分割した状態で固定することができる。よって、各組の電線群のプロテクタ挿通領域に予めクリップバンドを取り付けて結束しておく必要はなく、かつ、プロテクタに電線群を挿通した後に、該プロテクタに電線群を位置決め保持して直接に固定することができる。
【発明を実施するための最良の形態】
【００１７】
以下、本発明のプロテクタの実施形態を図面を参照して説明する。
図１乃至図４に第一実施形態のプロテクタを示す。
【００１８】
プロテクタ１は樹脂成形品からなり、図１（Ａ）（Ｂ）に示すように、底壁２と、該底壁２の幅方向の両端縁から突出する側壁３、４とで電線通路５を形成しており、長さ方向Ｌが長い樋形状としている。
底壁２の長さ方向Ｌの両端側に電線通路５を仕切る仕切壁６、７を立設している。プロテクタ１の入口Ｘの仕切壁６で、電線通路５を第一入口側通路５Ａ、第二入口側通路５Ｂに分割している。出口Ｙの仕切壁７で、電線通路５を第一出口側通路５Ｃ、第二出口側通路５Ｄに分割している。プロテクタの長さ方向の中間部では仕切壁６、７を設けずに経路変更通路５Ｅとしている。
【００１９】
前記仕切壁６、７で分割された入口側の第一入口側通路５Ａ、第二入口側通路５Ｂ、出口側の第一出口側通路５Ｃ、第二出口側通路５Ｄには、それぞれ底壁２に４個の締結バンドの通し穴１０を設けている。よって、入口Ｘ、出口Ｙには、仕切壁６、７を挟んで合計８個の通し穴１０を設けている。
【００２０】
前記各通路の出入口に設けた４個の通し穴１０は、細穴１０ａと広穴１０ｂを２個一組として並列し、本実施形態では、両側に細穴１０ａ、中央に広穴１０ｂを隣接して設けている。
【００２１】
前記通し穴１０に挿通する締結バンド２５は図２に示すように、汎用されている締結バンドからなる。該締結バンド２５はボックス状の締結部２５ａの一側からバンド片２５ｂが突出し、該バンド片２５ｂに鋸歯状の係止溝２５ｃを設けている一方、締結部２５ａ内に係止溝２５ｃと係止する係止片２５ｄを突設した貫通穴２５ｅを設けており、バンド片２５ｂを貫通穴２５ｅに挿通して引っ張ることにより、係止片２５ｄが係止する係止溝２５ｃを選択して締結している。
該形状からなる締結バンド２５は、締結部２５ａがバンド片２５ｂより当然のことながら広幅となっている。
前記通し穴１０の広穴１０ｂは締結部２５ａを挿通できる大きさとし、細穴１０ａはバンド片２５ｂを挿通できる細い穴としている。
【００２２】
本実施形態のプロテクタ１は上面開口を閉鎖する蓋を設けずに、電線群を通した後にプロテクタ１の外周に粘着テープを巻き付けて、電線通路５に通した電線群が上面開口から飛び出さないようにしている。
なお、蓋付きとし、プロテクタ１の一方の側壁３または５に薄肉ヒンジ部を介して一体成形しても良いし、蓋を別体で設けてプロテクタ１に被せて結合してもよい。
【００２３】
前記プロテクタ１には、図２（Ｂ）に示すように、第一電線群２０、第二電線群２１をそれぞれプロテクタ１に通した後に、前記通し穴１０に図２（Ａ）に示す締結バンド２５を通して、図２（Ｃ）に示すように、プロテクタ１に第一、第二電線群２０、２１をそれぞれ固定している。
【００２４】
図２（Ｂ）に示すように、第一電線群２０を第一入口側通路５Ａから挿入し、経路変更せずに、第一出口側通路５Ｃより引き出している。第二電線群２１は第二入口側通路５Ｂから挿入し、経路変更せずに第二出口側通路５Ｄより引き出している。
この場合、第一電線群２０は第一入口側通路５Ａの底壁に設けた４つの通し穴１０のうちの隣接する２つの通し穴に締結バンド２５を通して締結し、出口側で、第一出口側通路５Ｃに設けた４つの通し穴１０のうちの隣接する２つの通し穴に締結バンド２５を通して締結し、プロテクタ１の底壁２に固定している。
第二電線群２１も同様に締結バンド２５で締結し、プロテクタ１の底壁に固定している。
【００２５】
前記各締結バンド２５による各電線群の固定作業は、底壁２の下方より、締結バンド２５の締結部２５ａを広穴１０ｂを通してプロテクタ１の内部に突出させ、締結バンド２５のバンド片２５ｂを細穴１０ａに通してプロテクタ１の内部に突出させる。
プロテクタ１の内部に突出させた締結部２５ａを第一電線群２０（または第二電線群２１）の上部まで引っ張り出すと共に、バンド片２５ｂも締結部２５ａと対向する位置まで引っ張り出し、第一電線群２０（または第二電線群２１）の上面位置でバンド片２５ｂを締結部２５ａに通して係止している。
【００２６】
前記分割した各電線通路に電線群（例えば、第一電線群２０）を締結バンド２５で固定する際に、図３（Ａ）（Ｂ）（Ｃ）に示すように、仕切壁６寄り、中央位置、側壁３寄りの任意の位置を選択できる。
図３（Ｂ）に示す中央位置では、隣接する広穴１０ｂに締結バンドの締結部２５ａとバンド片２５ｂの両方を通しているが、電線群に巻き付けて締結した後は締結バンド２５はほとんど回転しないため、締結部２５ａをプロテクタ１の内部に保持できる。
また、プロテクタに対する電線群の挿通工程が相違する場合においても、後工程で取り付ける電線群はバンド通し穴に外方から締結バンドを通して内部で係止するだけであるため、工程が相違する場合にも締結作業を容易に行うことができる。
【００２７】
さらに、第一電線群２０が大径の場合、図４（Ａ）に示すように、仕切壁６寄りの広穴１０ｂ−１に締結部２５ａを通し、側壁３寄りの細穴１０ａ−１にバンド片２５ｂを通して締結している。
さらに、図４（Ｂ）に示すように、第一電線群２０が小径の場合、小径の第三電線群２２を同じ第一入口側通路５Ａに並列で通すこともできる。この場合も、第一電線群２０と第三電線群２２とは分割してプロテクタ１内に締結バンド２５によりそれぞれ直接に固定することができる。
【００２８】
図５に第一実施形態の変形例を示す。
該変形例では、仕切壁６、７で仕切られた前記第一、第二入口側通路５Ａ、５Ｂ、前記第二出口側通路５Ｃ、５Ｄに、細穴１０ａと広穴１０ｂとからなる２個一組の通し穴１０を設けている。
該構成とすると、各通路内での電線群の位置調整はできないが、プロテクタ１の幅を狭くすることができる。
【００２９】
図６に第二実施形態を示す。
第二実施形態では、仕切壁６、７で仕切られた各電線通路の底壁２と、側壁３、４の両方と、さらに仕切壁６、７にも締結バンドの通し穴１０を設けている。
底壁２には第一実施形態と同様に、細穴１０ａと広穴１０ｂとの２個一組の通し穴１０を２組設けている。
なお、側壁３、４および仕切壁６、７に上下方向に間隔をあけて設けている通し穴１０は同じ大きさとしているが、底壁の通し穴と同様に細穴と広穴との２個１組として、複数対設けてもよい。
【００３０】
図６に示すように、例えば、第二電線群２１を第二入口側通路５Ｂにおいて、底壁２に沿って、仕切壁６寄り位置（Ｐ１）、側壁４寄り位置（Ｐ２）の位置等、任意の位置に固定できる。
また、側壁３と底壁２とに囲まれた隅部に第一電線群２０を位置させたい場合には、隅部が外周に沿ってバンド片２５ｂを巻き付け、底壁２の通し穴１０ｂに締結部２５ａを通し、側壁３の通し穴１０ａにバンド片２５ｂを通すこともできる。
さらに、側壁３、４に沿って上下方向に重なるように固定することもでき、また、仕切壁６、７の通し穴を利用して、仕切壁６、７に接して上下方向に重ねるように固定することもできる。
【００３１】
図７に第三実施形態を示す。
第三実施形態では、底壁２より仕切壁６、７を突設せずに、複数の電線群を位置決め固定して分割してプロテクタ３０に固定している。
該プロテクタ３０は、第一実施形態のプロテクタ１と仕切壁６、７を設けていない点だけを相違させている。他の構成は同一としているため、同一符号を付して説明を省略する。
【００３２】
該プロテクタ３０では、仕切壁を設けなくとも、第一電線群２０、第二電線群２１はそれぞれ締結バンド２５を異なる位置の通し穴１０、即ち、第一電線群２０は細穴１０ａ−１と広穴１０ｂ−１に通した締結バンド２５−１で底壁２の右寄り位置に位置決め固定できる。また、第二電線群２１は細穴１０ａ−２と広穴１０ｂ−２に通した締結バンド２５−２で底壁２の左寄り位置に位置決め固定できる。
さらに、第三電線群、第四電線群が追加された場合も、それぞれ別の通し穴に締結バンドを通すことにより、第一、第二電線群と分割してプロテクタ３０に位置決め固定することができる。
【００３３】
図８に第三実施形態の変形例を示す。
該変形例のプロテクタ４０は、前記第二実施形態のプロテクタと仕切壁６、７を設けていない点だけを相違させ、底壁２および側壁３、４にそれぞれバンドの通し穴１０（細穴１０ａ、広穴１０ｂ）を設けている。
【００３４】
このプロテクタ４０では、例えば、５組の電線群２０〜２４をそれぞれ締結バンド２５を用いて、プロテクタの左右方向の両側および中央部の底面に沿った位置、さらに、側壁３、４に沿った上下方向に電線群を位置決め固定することができる。
このように、底壁２、両側壁３、４に囲まれた電線通路の内部を、左右方向および上下方向を利用して分割し、複数組の電線群を位置分けしてプロテクタに固定することができる。その結果、プロテクタ自体の小型化を図ることができる。
【図面の簡単な説明】
【００３５】
【図１】本発明のプロテクタの第一実施形態を示し、（Ａ）は平面図、（Ｂ）は（Ａ）のＢ−Ｂ線断面図である。
【図２】締結バンドを用いた固定を示し、（Ａ）は締結バンドの斜視図、（Ｂ）は平面図、（Ｃ）は断面図である。
【図３】（Ａ）〜（Ｃ）は前記プロテクタへ通す電線群を締結バンドで位置調節できる状態を示す断面図である。
【図４】（Ａ）は電線群が大径の場合の固定位置を示す図面、（Ｂ）は複数の電線群を仕切壁で仕切られた１つの電線通路に挿通固定する場合を示す図面である。
【図５】第一実施形態の変形例を示す平面図である。
【図６】第二実施形態を示す断面図である。
【図７】第三実施形態を示す断面図である。
【図８】第三実施形態の変形例を示す断面図である。
【図９】従来例を示す図面である。
【符号の説明】
【００３６】
１  プロテクタ
２  底壁
３、４  側壁
６、７  仕切壁
１０  バンドの通し穴
１０ａ  細穴
１０ｂ  広穴
２０  第一電線群
２１  第二電線群
２５  締結バンド
２５ａ  締結部
２５ｂ  バンド片
【図１】
2010051096.tif 000003
【図２】
2010051096.tif 000004
【図３】
2010051096.tif 000005
【図４】
2010051096.tif 000006
【図５】
2010051096.tif 000007
【図６】
2010051096.tif 000008
【図７】
2010051096.tif 000009
【図８】
2010051096.tif 000010
【図９】
2010051096.tif 000011